(57)【要約】【課題】ユーザが簡単操作で磁気テープからＤＶＤメディアへのダビング編集を行うことができるビデオテープレコーダー一体型複合装置を提供する。【解決手段】予めダビングをしたいビデオテープに記録されている情報を、早送りさせた状態で記録済みテープのＶＩＳＳ信号を検出し、その内容を使ってダビング操作のためのメニュー表示をさせる。これを用いてユーザーが簡単にＤＶＤメディアへのダビングする番組の選択などの操作を行える構成とした。【選択図】図３
2005149633.tif 000002
【特許請求の範囲】
【請求項１】
磁気記録テープに番組を記録再生可能なビデオカセットレコーダーと、
前記ビデオカセットレコーダーで再生した番組をデジタルでダビング可能な記録再生装置を同一筐体内に備えた複合装置であって、前記ダビング操作の前にあらかじめ前記ビデオカセットレコーダーで早送り動作をさせてインデックス信号を検出し、このインデックス情報に基づいてダビング選択メニューが表示され、ユーザーが前記表示されたダビング選択メニューによってダビング操作を行うことを特徴とするビデオテープレコーダー一体型複合装置。
【請求項２】
前記デジタル記録手段は、ダビング選択メニューからのダビング情報に従い、記録媒体上に記録する番組データを分割させる番組データ分割手段を装備することが特徴である請求項１に記載のビデオテープレコーダー一体型複合装置。
【請求項３】
前記ダビング選択メニュー内に、記録順序確認手段、画質水準選択手段、空き容量確認手段を有することが特徴である請求項１に記載のビデオテープレコーダー一体型複合装置。
【発明の詳細な説明】
【技術分野】
【０００１】
本発明は、磁気記録媒体上にあらかじめ記録された複数の番組データを再生するＶＣＲ機能と、番組データを圧縮・符号化してＤＶＤ等のディスク媒体上にデジタル記録する機能と、を備えた複合機であるビデオテープレコーダー一体型複合装置に関し、より詳細には、ＶＣＲにて再生した複数の番組データの中からユーザー所望の番組データを抽出し、ＤＶＤ等のディスク媒体上にダビングする際に好適に利用できるものである。
【背景技術】
【０００２】
従来のビデオテープレコーダー一体型複合装置は、磁気テープの番組データをＤＶＤにダビングする際に、ＶＣＲ部にて磁気テープ上にあらかじめ記録された番組データを再生しながら、常時インデックス信号を検出している。インデックスデータを検出するとそのインデックス検出通知をその都度デジタル録画部に送信し、これにより、デジタル録画部はＶＣＲからの番組データを圧縮・符号化しＤＶＤに分割記録するよう構成されている。
【０００３】
すなわち、ダビング動作をしながら、磁気テープからのインデックスデータを随時検出し、その検出データに同期して、ＤＶＤへの番組データが分割記録されている。
（特開２００１−１６５４０号  図２，３参照）
また、このビデオテープレコーダー一体型複合装置は、ＶＣＲ再生の際に、磁気テープの速度を判別し、この判定結果を示す再生速度通知をデジタル録画部に送信し、これにより、デジタル録画部はあらかじめ決められたビットレートの画質水準になるように圧縮・符号化をかけて番組データをＤＶＤメディアに記録するよう構成されている。
【０００４】
すなわち、一例としては、磁気テープの再生モードが標準なら高画質モードでＤＶＤメディアへの記録を行い、磁気テープの再生モードが３倍なら低画質モードで記録されるように制御することで、ＤＶＤメディアの記録時間を有効に利用するために、磁気テープの速度モードに応じて、ＤＶＤの記録のビットレートを変えている。
（特開２００１−１６５４０号  図５，６参照）
【特許文献１】特開２００１−１６５４０号公報
【発明の開示】
【発明が解決しようとする課題】
【０００５】
しかしながら、前記従来の構成では、磁気テープに記録された複数の番組データに対して、どの番組データを選択してダビングするかというダビング番組の選択や、ダビングする順番を決めるダビング順序の選択や、ＤＶＤ記録側の画質モードを選択するダビング画質水準の選択などの操作をする場合には、ひとつの番組データのダビング記録ごとに、ＶＣＲ再生部、ＤＶＤ記録部の双方の状態を再設定しなければならず、ユーザーが簡単操作で、ダビングに関する処理を自動的に行うという機能が実現できなかった。
【０００６】
例えば、ダビング番組の選択については、ＤＶＤ−ＲＡＭ等の再書き込み・消去可能なＤＶＤメディアについては、ＶＣＲ部で再生した番組データを全てＤＶＤメディアに書き込んだ後で不要な番組を選択消去することは可能だが、低価格で最も普及している書きこみが１回しかできないＤＶＤ−Ｒについては、磁気テープ上でダビングが必要な番組データの選択再生を毎回行い、ＤＶＤ部記録開始・終了の操作もあわせて必要であるという課題を有していた。
【０００７】
また、ダビング順序の選択については、順序変更のたびにＤＶＤ記録部の動作をいったん止めて、ＶＣＲ部のインデックス検出を用いた頭出し再生や早送り操作により、記録する番組データを再度決定した後、ＶＣＲ再生とＤＶＤ記録動作を開始するという複雑な操作が必要という課題を有していた。
【０００８】
また、ダビング画質水準選択については、ＤＶＤメディアの残量に応じた画質水準の選択や記録番組データの選択ができないため、ＤＶＤメディアで既に記録済みのものに追記したい場合、どこまでの番組データがどの画質水準で記録できるかをダビング動作以前に確認できないという課題を有していた。
【０００９】
本発明は、前記従来の課題を解決するもので、ユーザーがダビング前に簡単操作により磁気テープ上に記録された複数の番組データから任意に記録番組の選択を行い、記録順序を決め、ダビング画質水準を決定することで、ユーザーの所望通りに、磁気テープからＤＶＤメディアへのダビング記録を可能とする装置を提供することを目的とする。
【課題を解決するための手段】
【００１０】
前記従来の課題を解決するために、本発明のビデオテープレコーダー一体型複合装置は、磁気記録テープに番組を記録再生可能なビデオカセットレコーダーと、前記ビデオカセットレコーダーで再生した番組をデジタルでダビング可能な記録再生装置を同一筐体内に備えた複合装置であって、前記ダビング操作の前にあらかじめ前記ビデオカセットレコーダーでの早送り動作時に検出したインデックス情報に基づいてダビング選択メニューが表示され、ユーザーが前記表示されたダビング選択メニューによってダビング操作を行うことを特徴としたものである。
【００１１】
また、本発明は、前記デジタル記録手段は、ダビング選択メニューからのダビング情報に従い、記録媒体上に記録する番組データを分割させる番組データ分割手段を装備することを特徴としたものである。
【００１２】
さらに、ビデオテープレコーダー一体型複合装置において、前記ダビング選択画面内に、記録順序確認手段、画質水準選択手段、空き容量確認手段を有することを特徴としたものである。
【発明の効果】
【００１３】
本発明のビデオテープレコーダー一体型複合装置によれば、複数の番組データが記録された磁気テープからのＤＶＤメディアへの自動ダビング記録、記録画質水準の設定等の簡単操作を実現することができる。
【発明を実施するための最良の形態】
【００１４】
以下に、本発明のビデオテープレコーダー一体型複合装置の実施の形態を図面とともに詳細に説明する。
【００１５】
（実施の形態１）
図１は、本発明の第１の実施例における装置のビデオテープレコーダー一体型複合装置の構成図を示す。
【００１６】
図１において、ビデオテープレコーダー一体型複合装置１は、複数の番組を記録された磁気テープ１６からアナログ映像信号・音声信号１０を得るためシステムであるＶＣＲ部２と、アナログ映像信号・音声信号１０をデジタル信号に圧縮・符号化するエンコーダー部１２を介してＤＶＤメディア１４で記録するためのシステムであるデジタル記録部３と
再生された映像・音声信号をＴＶモニター上に出力するための映像音声出力部４を備えている。
【００１７】
ＶＣＲ再生部２はダビング指令５を受け付けるＶＣＲ再生制御部７とＶＣＲドライブ部１５、テープ上に記録されたインデックス信号を検出するＶＩＳＳ検出部６とダビングメニュ画面作成部８で構成され、デジタル記録部３は映像音声信号を圧縮・符号化しデジタルデータに変換するエンコーダー部１２、ＤＶＤメディアの記録再生制御を行うＤＶＤ制御部１１、エンコーダー部１２から引き渡しされたデジタルデータをＤＶＤメディア１４に記録するためのＤＶＤドライブ部１３で構成される。
【００１８】
ＶＣＲ再生部２のダビング選択画面作成部で作成されたダビング選択情報は、ＶＣＲ再生制御部７を介して、制御信号９としてＤＶＤ制御部１１に送信される。また、ＤＶＤメディアの残量情報はＤＶＤドライブ部１３で算出されたあと、ＤＶＤ制御部１１を介して制御情報９としてＶＣＲ再生制御部７に送信される。
【００１９】
次に、第１の実施例におけるビデオテープレコーダー一体型複合装置において複数の番組データをダビングする際の動作原理を図２を参照して説明する。
【００２０】
ビデオテープに記録されている番組データは、ＶＨＳテープ方式のＶＩＳＳ機能のようにインデックスデータにより記録開始管理され、高速の頭出し再生・内容表示が行われている。そこで、この実施形態のビデオテープレコーダー一体型複合装置はこのインデックスデータをダビング動作にはいる前に利用して、記録された複数の番組データの中から任意にユーザーが選択した番組データ毎にＤＶＤメディアへの分割記録を行う。
【００２１】
図２は複数の番組データから任意の番組をダビングする際、ダビング動作に入る前にインデックスデータを利用する動作手順を示すフローチャートである。
【００２２】
まず、ＶＣＲ再生制御部７は高速早送り動作を行いながら、磁気テープのＣＴＬ信号として記録されたＶＩＳＳ情報の検出を行う。（ステップＦ１、ステップＦ２）。
【００２３】
また、ＶＣＲ再生制御部７はＶＩＳＳ検出を行った時、（ステップＦ２のＹＥＳ）、一定時間だけ画面上に映像を頭出し再生し、現在の番組がユーザーにとってダビング必要かどうかの選択及びデジタル記録の画質基準であるモードの選択もあわせて促す。（ステップＦ３、ステップＦ４）
次にダビングメニュー画面作成部８はユーザーのダビングが必要という選択結果と画質水準の選択結果に応じて（ステップＦ４のＹＥＳ）、ダビングメニュー画面内部にその情報を蓄積してゆく（ステップＦ５）。ダビング必要な番組の始まり・終わりの位置情報は、一般的に用いられているＣＴＬ信号と記録ＳＰＥＥＤの関係を使ったＣＯＵＮＴＥＲ値でメモリーなどにさせることで、ダビング動作時に再度ＶＩＳＳ検出をする必要はない。
【００２４】
ＶＣＲ再生制御部７は磁気テープの終了まで（ステップＦ５のＮＯ）、ステップＦ１〜ステップＦ５までの処理を繰り返し、磁気テープの終了が検出されたときに（ステップＦ５のＹＥＳ）、続いて、選択された番組のダビング順番・記録のＳＰＥＥＤ変更をユーザーに促すことユーザー所望の内容の記録情報が蓄積される。（ステップＦ７）
そして、ユーザーが始めにダビング必要と選択した磁気テープ位置まで高速巻戻し操作行う。（ステップＦ８）
このあと、ＶＣＲ再生制御部７を介して、ダビング準備完了の通知がＤＶＤ制御部に送信される。（ステップＦ９）
ＶＣＲ制御部１０は通常再生動作開始し、映像音声信号１０をエンコーダー部１２に出力し、エンコーダー部１２では入力された映像音声信号１０を圧縮・符号化してドライブ部１３によりＤＶＤメディアに記録開始する。（ステップＦ１０）
ＶＣＲ再生部制御７はダビング画面作成部８に蓄積された情報に応じて、現在記録している番組の終わりの位置まで再生すると（ステップＦ１１）、制御信号９によって、ＤＶＤ制御部１１へ記録動作の一時停止を伝えることで、ＤＶＤメディアの記録動作一時停止させる。（ステップＦ１２）
次に、ダビングする番組がまだ残っている場合には（ステップＦ１３のＮＯ）、ステップＦ８〜Ｆ１２までの動作を繰り返し、ダビングする番組データがなくなったときに（ステップＦ１３のＹＥＳ）、ＶＣＲ再生動作及びＤＶＤ記録動作双方の動作を完了し、ダビング操作を完了させる。
【００２５】
このようにこの実施形態のビデオテープレコーダー一体型複合装置は、本体のボタンやリモコン操作により、ダビング操作指令５を受け付けると、ＶＣＲ再生制御部７はドライブ部１５に高速早送り制御を行い、ＶＩＳＳ検出部６で、磁気テープ上に記録されているインデックスデータ（ＶＩＳＳ信号）を検出し、このＶＩＳＳ検出の際に、あらかじめ決められた時間だけ通常再生を行い、ユーザーにダビング選択、記録ＳＰＥＥＤの選択をメッセージを表示し、ユーザーからの応答に従って、ダビングメニュー画面作成部８にて、ダビングする番組の選択、記録ＳＰＥＥＤ、テープ位置情報などの蓄積を行う。
テープ上の全てのＶＩＳＳ検出が終了し、ダビングするすべての番組データの選択、記録ＳＰＥＥＤ選択内容が蓄積されると、ＤＶＤドライブ部１１はＤＶＤメディア１４の空き容量を算出し、前記蓄積データの内容で記録できるかの情報をユーザー知らせることで、空き容量が足りない場合には、ユーザーが再度、所望の記録状態になるよう任意に設定を変更できることになる。
【００２６】
このあと、ダビングメニュー画面作成部８の蓄積情報はＶＣＲ再生制御部７を介して制御信号９としてデジタル記録部３に転送され、この制御信号９に従い、ＶＣＲ再生制御部７とＤＶＤ記録制御部１１は同期して動作する。つまり、磁気テープ上に記録された番組データの中からダビングが必要な番組データだけを、決められた順番で再生し、ＤＶＤメディア１４への記録動作を自動的に最後まで完了することができる。
【実施例１】
【００２７】
本発明のより具体的な実施の形態について図３を用いて説明する。
図３はダビング指令を受け付けてから後に、磁気テープからＶＩＳＳ信号を検出した際に、ＴＶモニター上に映し出されるダビング選択画面の一例を示したものである。
【００２８】
まず、本体のボタンやリモコン受信にてダビング指令５をＶＣＲ再生制御部７が受けとると、ＶＣＲドライブ１５に対して、磁気テープの早送り動作をするように指令を出す。
【００２９】
これに従い、ＶＣＲ再生部７は早送り状態に入る。
【００３０】
早送り状態の間に、ＶＩＳＳ信号検出部６によりＶＩＳＳ信号が検出されるとＶＣＲ再生制御部７の指令により一定時間だけ頭出し再生をしながら、ダビングするかしないかの確認内容及び記録ＳＰＥＥＤ選択のメッセージが  画面（ａ）  表示される。
【００３１】
次にユーザーが頭出しされた映像を確認し、リモコンまたは本体の決められた操作に従ったダビング可否、記録ＳＰＥＥＤ選択が行われる  画面（ｂ）。
【００３２】
ＶＣＲ再生制御部７は現在の再生内容がユーザーによってダビング選択されたことを判断し、次のＶＩＳＳ信号が記録されているところまで早送り動作を開始するとともに、番組データのダビング可否・記録ＳＰＥＥＤをユーザーに分かりやすい画面として  画面（ｃ）として表示させる。
【００３３】
このあとＶＩＳＳ信号を検出するたびに、画面（ａ）〜  画面（ｃ）までの操作を繰り返すことで磁気テープ上に記録されている番組データ個々の記録可否、記録ＳＰＥＥＤが画面データ  画面（ｄ）として表示し、ダビングに関する内容をユーザに分かりやすく認識させる。
【００３４】
また、テープ終端までの全てのＶＩＳＳ信号を検出後、ダビングの順番を選択するようにメッセージとして表示することで、ユーザは所望の順番で番組データをダビングするように選択を行うことが可能となる。  画面（ｅ）
また、このときにＤＶＤ制御部１３はＤＶＤメディア１４のメモリー残量をドライブ１３を通じて判別することで、どこまでの番組を記録できるかを分かりやすく画面上に表示
することも可能である。  画面（ｅ）
今回の実施例としては早送りしながらＶＩＳＳ検出を行うことで番組データの始めの部分を検出し、ダビング記録する番組データの選択について説明してきたが、巻戻ししながら同様の処理をできることは周知の事実である。
また、図３のダビングメニュー画面の情報に、記録するＤＶＤディスクの番号を追加することで、磁気テープに記録された複数の番組データを別々のディスクに効率よくダビング記録することも簡単に出来ることは明白である。
【産業上の利用可能性】
【００３５】
以上説明したように、本発明に係るビデオテープレコーダー一体型複合装置は、ユーザーが簡単にＶＣＲからデジタル記録機器へのダビング操作ができるものであり、特にＶＨＳとＤＶＤレコーダー一体型装置に有用なものである。
【図面の簡単な説明】
【００３６】
【図１】本発明の実施の形態１におけるビデオテープレコーダー一体型複合装置システム図
【図２】本発明の実施の形態１におけるダビング選択及びダビング動作のフロー図
【図３】本発明のより具体的な形態におけるダビングメニュー画面の構成図
【符号の説明】
【００３７】
１  ビデオテープレコーダー一体型複合装置
２  ＶＣＲ再生部
３  デジタル記録部
４  映像音声信号出力部
５  ダビング指令
６  インデックス検出部
７  ＶＣＲ再生制御部
８  ダビングメニュー画面作成部
９  制御信号
１０  アナログ映像音声信号
１１  ＤＶＤ制御部
１２  エンコーダー部
１３  ＤＶＤドライブ部
１４  ＤＶＤメディア
１５  ＶＣＲドライブ部
１６  磁気テープ
【図１】
2005149633.tif 000003
【図２】
2005149633.tif 000004
【図３】
2005149633.tif 000005